(57)【要約】      （修正有）【課題】収納時にはパネルと連結用部材に分解してコンパクトに収納でき、簡易な作業で組み立てができるとともに、組立時には連結用部材が目立たない、箱型ケースの連結用部材、及びこれを用いた箱型ケースの組立セットを提供する。【解決手段】複数枚のパネル１を連結させて直方体又は立方体の箱型ケースを組み立てるために、組立時に隣接するパネルを連結させるための連結用部材。連結用部材は、雌ネジ穴を有する３枚の板状部材２１が、互いに直角に接合され、箱型ケースの頂点の内側に配置される際に頂点において３枚が接するように一体にされた雌ネジ部材と、前記３枚の板状部材それぞれの雌ネジ穴に対応して、箱型ケースの頂点の外側に配置される３つの雄ネジを有する雄ネジ部材３とから構成されており、前記の雌ネジ部材及び雄ネジ部材は、箱型パネルを構成するパネルと同色の素材からなる。【選択図】図１１
0003183431.tif 000002
【実用新案登録請求の範囲】
【請求項１】
複数枚のパネルを連結させて直方体又は立方体の箱型ケースを組み立てるために、組立時に隣接するパネルを連結させるための連結用部材であって、
前記連結用部材は、雌ネジ穴を有する３枚の板状部材が、互いに直角に接合され、箱型ケースの頂点の内側に配置される際に頂点において３枚が接するように一体にされた雌ネジ部材と、
前記３枚の板状部材それぞれの雌ネジ穴に対応して、箱型ケースの頂点の外側に配置される３つの雄ネジを有する雄ネジ部材とから構成されており、
前記の雌ネジ部材及び雄ネジ部材は、箱型パネルを構成するパネルと同色の素材からなることを特徴とする、箱型ケースの連結用部材。
【請求項２】
前記３枚の板状部材は、２枚のパネルそれぞれに接する直線の２辺と、箱型ケース内側の頂点を中心とする円弧または扇形の弧を一部または全部に有する曲線の１辺とからなる形状であることを特徴とする、請求項１に記載の箱型ケースの連結用部材。
【請求項３】
前記雄ネジ部材には、組立時に箱型ケースの外側に位置する雄ネジの頭部分と一体となって、箱型ケースの滑り止め部材、または複数の箱型ケースを並べたり重ねたりする際に箱型ケース同士を固定する固定部材が設けられたことを特徴とする、請求項１または２のいずれかに記載の箱型ケースの連結用部材。
【請求項４】
請求項１〜３のいずれかに記載の箱型ケースの連結用部材複数個と、複数枚のパネルとから構成され、
前記複数枚のパネルには、前記雌ネジ部材の雌ネジ穴に対応する雌ネジ穴が設けられたことを特徴とする、箱型ケースの組立セット。
【請求項５】
前記連結用部材と、複数枚のパネルとは、同色の素材で構成されたことを特徴とする、請求項４に記載の箱型ケースの組立セット。
【考案の詳細な説明】
【技術分野】
【０００１】
本考案は、箱型ケースの連結用部材、及びこれを用いた箱型ケースの組立セットに関する。
【背景技術】
【０００２】
従来より、商品を展示・陳列等するためのケースや、物を整理するためのケースなど、各種の箱型のケースが利用されている。
これらの箱型ケースには、ガラス製、プラスチック製、金属製、その他の素材のものなど、各種の物が利用されている。また、これらの色彩も、無色透明、有色透明、半透明、各種の色彩のケースなど、様々な物が利用されている。
【０００３】
さらに、箱型ケースの形状としては、直方体のものや、立方体のもの、さらに６面すべてが閉じている箱や、６面の内の１面は開口している箱、さらに６面のうちの２面が開口している箱、あるいは６面のうちの１面は開閉可能な蓋となっているものなど、各種のバリエーションがある。
また、箱型ケースを複数重ねたり並べたりして、利用することもある。
【先行技術文献】
【特許文献】
【０００４】
【特許文献１】実開平２−１５９０３号公報
【考案の概要】
【考案が解決しようとする課題】
【０００５】
ところで、これらのケースは、ガラスやアクリル樹脂の素材を接着接合して箱型を形成するため、サイズが大きくなり、輸送や保管をするのには不便である。
このため、組立式の箱型ケースが様々に考案されている。
たとえば、実開平２−１５９０３号「整理箱組立用金具」においては、一対のＬ字型金具本体を、箱の内側と外側に対向配置するとともに、取付用ボルトを貫通させる整理箱組立用金具が開示されている。
この考案によれば、組立用金具を使用して、パネルから箱を組み立てることができ、輸送や保管をする際にも便利である。
【０００６】
しかしながら、上記考案によれば、箱の内側と外側の両方に、組立用金具が位置するようにしなければならない。このため、部品の点数も多くなり、また組み立てる作業が大変である。
また、外側からボルトを、内側から雌ネジのある金具を当てて両者を合わせなければならないため、６面の内の少なくとも１面は開口している箱にしか利用できない。
さらに、箱の外側にも板状の金具を配置することとなるため、ケースの外側に金具がむき出しになってしまい、箱のそれぞれの面に少なくとも４個の金具が露出してしまい、その凹凸も目立つこととなる。
【０００７】
そこで本考案においては、上記の様々な課題を解決し、箱型ケースの面を構成する複数枚のパネルと、簡単な作業で取り付け可能な連結用部材とを提供し、収納時にはパネルと連結用部材に分解してコンパクトに収納でき、簡易な作業で組み立てができるとともに、組立時には連結用部材が目立たない、箱型ケースの連結用部材、及びこれを用いた箱型ケースの組立セットを提供することを目的とする。
【課題を解決するための手段】
【０００８】
上記課題を解決するため、請求項１に記載の考案においては、複数枚のパネルを連結させて直方体又は立方体の箱型ケースを組み立てるために、組立時に隣接するパネルを連結させるための連結用部材であって、
前記連結用部材は、雌ネジ穴を有する３枚の板状部材が、互いに直角に接合され、箱型ケースの頂点の内側に配置される際に頂点において３枚が接するように一体にされた雌ネジ部材と、
前記３枚の板状部材それぞれの雌ネジ穴に対応して、箱型ケースの頂点の外側に配置される３つの雄ネジを有する雄ネジ部材とから構成されており、
前記の雌ネジ部材及び雄ネジ部材は、箱型パネルを構成するパネルと同色の素材からなる、箱型ケースの連結用部材であることを特徴としている。
【０００９】
また、請求項２に記載の考案においては、前記３枚の板状部材は、２枚のパネルそれぞれに接する直線の２辺と、箱型ケース内側の頂点を中心とする円弧または扇形の弧を一部または全部に有する曲線の１辺とからなる形状である、請求項１に記載の箱型ケースの連結用部材であることを特徴としている。
【００１０】
また、請求項３に記載の考案においては、前記雄ネジ部材には、組立時に箱型ケースの外側に位置する雄ネジの頭部分と一体となって、箱型ケースの滑り止め部材、または複数の箱型ケースを並べたり重ねたりする際に箱型ケース同士を固定する固定部材が設けられた、請求項１または２のいずれかに記載の箱型ケースの連結用部材であることを特徴としている。
【００１１】
また、請求項４に記載の考案においては、請求項１〜３のいずれかに記載の箱型ケースの連結用部材複数個と、複数枚のパネルとから構成され、
前記複数枚のパネルには、前記雌ネジ部材の雌ネジ穴に対応する雌ネジ穴が設けられた、箱型ケースの組立セットであることを特徴としている。
【００１２】
また、請求項５に記載の考案においては、前記連結用部材と、複数枚のパネルとは、同色の素材で構成された、請求項４に記載の箱型ケースの組立セットであることを特徴としている。
【考案の効果】
【００１３】
本考案によれば、収納時にはパネルと連結用部材に分解してコンパクトに収納でき、簡易な作業で組み立てができるとともに、組立時には連結用部材が目立たない、箱型ケースの連結用部材、及びこれを用いた箱型ケースの組立セットを提供することができる。
また、パネルと連結用部材とはバラバラに分解できるので、箱の一部が欠損したり、紛失したりした場合には、一部のパネル又は部材を交換するだけで、再度利用することができる。
【図面の簡単な説明】
【００１４】
【図１】図１は、本考案の連結用部材を構成する雌ネジ部材を、箱型ケースの内側にあたる方向から見た斜視図である。
【図２】図２は、本考案の連結用部材を構成する雌ネジ部材を、箱型ケースの外側にあたる方向から見た斜視図である。
【図３】図３は、本考案の連結用部材を構成する雌ネジ部材を、一つの板状部材を正面にした方向から見た図である。
【図４】図４は、本考案の連結用部材を構成する雌ネジ部材の別の実施形態を、箱型ケースの内側にあたる方向から見た斜視図である。
【図５】図５は、図４に示した本考案の連結用部材を構成する雌ネジ部材を、一つの板状部材を正面にした方向から見た図である。
【図６】図６は、本考案の連結用部材を構成する雌ネジ部材の別の実施形態を、一つの板状部材を正面にした方向から見た図である。
【図７】図７は、連結用部材とこれを用いた箱型ケースの組立セットを示す図である。
【図８】図８は、本考案の連結用部材を構成する雌ネジ部材を、直角に接する２枚のパネルに取り付ける状態を示す断面図である。
【図９】図９は、本考案の連結用部材を構成する雌ネジ部材を、直角に接する２枚のパネルに取り付けた状態を示す断面図である。
【図１０】図１０は、図９に示した断面図の別の形態として、本考案の連結用部材を構成する雌ネジ部材を、直角に接する２枚のパネルに取り付けた状態を示す断面図である。
【図１１】図１１は、図１０に示した断面図の別の形態からさらに、正面の板状部材に本考案の連結用部材を構成する雌ネジ部材を取り付け、箱形ケースの頂点に接する３枚のパネルを取り付けた状態を示す断面図である。
【図１２】図１２は、連結用部材を用いた箱型ケースを組み立てた状態を示す図である。
【図１３】図１３は、本考案の連結用部材を構成する雌ネジ部材を、直角に接する1枚のパネルに取り付けて箱型ケースを組み立てた後に、複数の箱型ケース同士を連結する実施形態の一例を示す断面図である。
【図１４】図１４は、本考案の連結用部材を構成する雌ネジ部材を、直角に接する1枚のパネルに取り付けて箱型ケースを組み立てた後に、複数の箱型ケース同士を連結する実施形態の一例を示す断面図である。
【考案を実施するための形態】
【００１５】
以下、本考案の箱型ケースの連結用部材、及びこれを用いた箱型ケースの組立セットについて、図面を参照しながら説明する。
図１は、本考案の連結用部材を構成する雌ネジ部材２を、箱型ケースの内側にあたる方向から見た斜視図である。図１において、３本の直線が交わる頂点は図中の奥側に位置しており、連結用部材が箱型ケースの頂点の内側に配置される際の内側方向から見た図である。
図２は、本考案の連結用部材を構成する雌ネジ部材２を、箱型ケースの外側にあたる方向から見た斜視図である。図２において、３本の直線が交わる頂点は図中の手前側に位置しており、連結用部材が箱型ケースの頂点の内側に配置される際の外側方向から見た図である。
図３は、本考案の連結用部材を構成する雌ネジ部材２を、一つの板状部材２１を正面にした方向から見た図である。
【００１６】
本考案の第一の実施形態は、箱型ケースの連結用部材である。
本考案の箱型ケースの連結用部材は、複数枚のパネル１を連結させて直方体又は立方体の箱型ケースを組み立てるために、組立時に隣接するパネル１を連結させるための連結用部材である。
【００１７】
本考案の第二の実施形態は、第一の実施形態に置いて説明した連結用部材を用いた箱型ケースの組立セットである。
図７は、連結用部材とこれを用いた箱型ケースの組立セットを示す図である。
箱型ケースの連結用部材複数個と、複数枚のパネルとから構成されている。
パネル１は、組立完成時の箱型ケースの大きさに合わせたサイズであり、素材は樹脂、金属、その他の各種素材を用いることができる。
【００１８】
パネル１は、箱型ケースが６面すべて組立時には閉じた状態となるときには、６枚のセットとなる。また、直方体あるいは立方体の６面の内の１面が開いた状態となる箱型ケースの場合には、パネル１は５枚のセットとなる。直方体あるいは立方体の６面の内の２面が開いた状態となる箱型ケースの場合には、パネル１は４枚のセットとなる。
これらの組み合わせに合わせ、本考案の連結用部材が必要数セットとされている。
【００１９】
なお、本考案の連結用部材は、図１、図２、図３等に示されるように、雌ネジ穴を有する３枚の板状部材２１が、互いに直角に接合され、箱型ケースの頂点の内側に配置される際に頂点において３枚が接するように一体にされた雌ネジ部材２と、これに対応する３個の雄ネジ部材３とで、連結用部材の１セットが構成される。
【００２０】
本考案の実施形態として、パネル１と連結用部材のセットとして構成する場合には、これ以外の部材をセットに組み入れても良い。
たとえば、箱型ケースの頂点以外の、２枚のパネル１が接する箇所に取り付けるための連結用部材としては、雌ネジ穴２０を有する２枚の板状部材２１が、互いに直角に接合され、箱型ケースの頂点の内側に配置される際に、箱型ケースの辺において２枚が接するように一体にされた、Ｌ字型の雌ネジ部材を使用するようにしてもよい。
また、箱型ケースの６面すべてが組立時には閉じた状態となるときには、６枚のパネル１の内の１枚は、開閉できるようにするために、たとえば蝶番などの部材をセットに入れるようにしてもよい。
【００２１】
前記複数枚のパネル１には、前記雌ネジ部材の雌ネジ穴１０に対応する雌ネジ穴が設けられている。
一般的には、パネル１のそれぞれには、少なくとも四隅に雌ネジ穴が設けられている。
ただし、直方体あるいは立方体の６面の内の１面が開いた状態となる箱型ケースの場合や、６枚のパネル１の内の１枚は、開閉できるようにするために蓋として機能する場合などには、すべての四隅には雌ネジ穴１０が必要ではない場合がある。こうした場合には適宜、必要な数の雌ネジ穴１０を設ければよい。
【００２２】
なお、パネル１の雌ネジ穴１０は、雄ネジ部材３に対応したネジの溝が形成されていてもよい。
一方、雌ネジ部材２の雌ネジ穴２０には雄ネジ部材３に対応したネジの溝が形成されているので、パネル１の雌ネジ穴１０にはネジの溝がなくても機能する。
【００２３】
また、雌ネジ穴１０は雄ネジのネジ部分の太さに対応した径の単なる穴であっても良いが、図１０に断面が示されるように、雄ネジの頭がパネル１の表面から突出せず隠れるようにしてもよい。
雄ネジの頭がパネル１の表面と同じ平面を形成して固定されるようにすれば、ネジを締めたときには、箱型ケースの外側表面がネジ部分も含めて平面となり、目立たないものとなる。
【００２４】
雌ネジ部材３は、雌ネジ穴２０を有する３枚の板状部材２１が、互いに直角に接合され、箱型ケースの頂点の内側に配置される際に頂点において３枚が接するように一体にされている。
好ましくは、３枚の板状部材２１は、一体に形成された樹脂や金属などにより、分解不可能な１つの部材としてできたものである。
【００２５】
また、３枚の板状部材２１は、２枚のパネルそれぞれに接する直線の２辺と、箱型ケース内側の頂点を中心とする円弧または扇形の弧を一部または全部に有する曲線の１辺とからなる形状が、好ましい形態の一例である。これにより、雌ネジ穴２０から板状部材の円弧または扇形の弧に対し一定の距離がとれるため、強固な部材となるとともに、素材を無駄に使用せずに雌ネジ部材２を製造することができる。
図４は、本考案の連結用部材を構成する雌ネジ部材の別の実施形態を、箱型ケースの内側にあたる方向から見た斜視図である。図５は、図４に示した本考案の連結用部材を構成する雌ネジ部材を、一つの板状部材を正面にした方向から見た図である。この例では、３枚の板状部材２１の形状は、２枚のパネルそれぞれに接する直線の２辺と、箱型ケース内側の頂点を中心とする円弧を一部に有する曲線の１辺とからなるものである。
また、図６は、本考案の連結用部材を構成する雌ネジ部材の別の実施形態を、一つの板状部材を正面にした方向から見た図である。この例では、３枚の板状部材２１の形状は、２枚のパネルそれぞれに接する直線の２辺と、箱型ケース内側の頂点を中心とする扇形の弧を全部に有する曲線の１辺とからなるものである。
【００２６】
雌ネジ部材２及び雄ネジ部材３は、好ましい実施形態によれば、箱型パネルを構成するパネルと同色の素材からなることが好ましい。
これにより、組立時に箱型ケース全体として一体感が出る。
色彩は、無色透明、有色透明、半透明、不透明などの各種の色彩とすることができる。透明の連結用部材と、透明のパネル１とを用いた場合には、箱型ケースの中身を見ることができるとともに、連結用部材が目立たない外観とすることができる。このため、展示・陳列用などの用途にも適している。
【００２７】
雄ネジ部材３は、前記３枚の板状部材２１それぞれの雌ネジ穴２０に対応して、箱型ケースの頂点の外側に配置される３つの雄ネジを有する部材である。
雄ネジ部材は、もっとも簡単な形態としては、雌ネジ穴２０に対応した一般的な雄ネジである。
一方、雄ネジと、後述するように他の機能を有する部材とを兼ねる部材として形成してもよい。
【００２８】
次に、パネル１及び連結用部材を用いた、箱型ケースの組み立てについて説明する。
図８は、本考案の連結用部材を構成する雌ネジ部材３を、直角に接する２枚のパネル１に取り付ける状態を示す断面図である。
２枚のパネル１が直角に接するとともに、箱形ケースの頂点を形成する部分において、箱形ケースの内側方向から２枚のパネルの角が合わさるように配置した状態とする。その頂点に、雌ネジ部材２の頂点にあたる部分が合わさるように配置する。
このとき、雌ネジ部材の雌ネジ穴２０と、２枚のパネルそれぞれの雌ネジ穴１０とが合致して、雄ネジを通せる状態となる。
箱形ケースの外側方向から、２枚のパネルそれぞれの雌ネジ穴、雌ネジ部材の雌ネジ穴２０に、雄ネジ部材のネジを挿入し、ネジを締める。
これにより、雄ネジを締めた図９の状態となり、箱形ケースの３枚のパネルの内の２枚が連結した状態となる。
図９は、本考案の連結用部材を構成する雌ネジ部材を、直角に接する２枚のパネルに取り付けた状態を示す断面図である。
【００２９】
このとき、図１０に断面が示されるように、雄ネジの頭がパネル１の表面から突出せず隠れるようにしてもよい。
前述したように、雄ネジの頭がパネル１の表面と同じ平面を形成して固定されるようにすれば、ネジを締めたときには、箱型ケースの外側表面がネジ部分も含めて平面となる。
図１０は、図９に示した断面図の別の形態として、本考案の連結用部材を構成する雌ネジ部材を、直角に接する２枚のパネルに取り付けた状態を示す断面図である。
【００３０】
次に、図９あるいは図１０の段階から、さらに、正面に見える板状部材２１に３枚目のパネルを取り付ける。
図１１は、図１０に示した断面図の別の形態からさらに、正面の板状部材に本考案の連結用部材を構成する雌ネジ部材を取り付け、箱形ケースの頂点に接する３枚のパネルを取り付けた状態を示す断面図である。
これにより、箱形ケースの頂点を形成する３枚のパネルが連結される。
このようにして、順次それぞれの頂点を連結していくことにより、箱形ケースを完成させることができる。
図１２は、連結用部材を用いた箱型ケースを組み立てた状態を示す図である。
【００３１】
次に、本考案の別の実施例として、雄ネジ部材３が、一般的な雄ネジ機能を有するとともに、さらに他の機能を有する部材とを兼ねる部材として形成された一例について説明する。
たとえば、雄ネジ部材３には、組立時に箱型ケースの外側に位置する雄ネジの頭部分と一体となって、箱型ケースの滑り止め部材、または複数の箱型ケースを並べたり重ねたりする際に箱型ケース同士を固定する固定部材が設けられたものである。
【００３２】
図１３は、本考案の連結用部材を構成する雌ネジ部材を、直角に接する1枚のパネルに取り付けて箱型ケースを組み立てた後に、複数の箱型ケース同士を連結する実施形態の一例を示す断面図である。
この例によれば、箱形ケースを置いた状態のとき、底面に配置された雄ネジ部材３の頭には、部材として一体となった滑り止め部材が設けられている。これによって箱形ケースが滑ることを防ぐものである。
さらに図１３に示される例によれば、複数の箱形ケース同士を横に連結して固定するために、側面に配置された雄ネジ部材３の頭には、部材として一体となった連結部材が設けられている。連結する方式としては、図に示した凹凸の溝をかみ合わせて連結するものや、磁石により磁力で連結するもの、その他の各種の方式が採用できる。
【００３３】
別の一例としては、複数の箱形ケース同士を上下に連結して固定するために、上面に配置された雄ネジ部材３の頭には、部材として一体となった連結部材が設けられるようにしてもよい。
図１４は、本考案の連結用部材を構成する雌ネジ部材を、直角に接する1枚のパネルに取り付けて箱型ケースを組み立てた後に、複数の箱型ケース同士を連結する実施形態の一例を示す断面図である。
なお、これらのいずれの例においても、滑り止め部材あるいは連結部材は、雄ネジ部材２として一体に形成されていてもよい。
あるいは、滑り止め部材あるいは連結部材は、雄ネジ部材２の雄ネジの頭部分に、着脱可能なようにしてもよい。着脱可能にすれば、雄ネジ部材は同一部材を汎用的に製造することができ、必要なときだけ滑り止め部材あるいは連結部材を使用することができる。
【００３４】
以上詳細に説明したように、本考案によれば、収納時にはパネルと連結用部材に分解してコンパクトに収納でき、簡易な作業で組み立てができるとともに、組立時には連結用部材が目立たない、箱型ケースの連結用部材、及びこれを用いた箱型ケースの組立セットを提供することができる。
【符号の説明】
【００３５】
１  パネル
１０  雌ネジ穴
２  雌ネジ部材
２０  雌ネジ穴
２１  板状部材
３  雄ネジ部材
３０滑り止め部材
３１  固定部材
【図１】
0003183431.tif 000003
【図２】
0003183431.tif 000004
【図３】
0003183431.tif 000005
【図４】
0003183431.tif 000006
【図５】
0003183431.tif 000007
【図６】
0003183431.tif 000008
【図７】
0003183431.tif 000009
【図８】
0003183431.tif 000010
【図９】
0003183431.tif 000011
【図１０】
0003183431.tif 000012
【図１１】
0003183431.tif 000013
【図１２】
0003183431.tif 000014
【図１３】
0003183431.tif 000015
【図１４】
0003183431.tif 000016